(57)【要約】【課題】組み立てが容易で且つ強度が大きく、コンパクトに折り畳むことができると共に、必要に応じて、内部に小物等を収納することができる箱型椅子を提供する。【解決手段】２面の正面部２と、２面の側面部３と、４面の天底面部４からなり、側面部３と正面部２で筒状になるように構成され、側面部３の中央部付近には谷折り可能な畳み線３ａが設けられ、天底面部４は正面部２の上辺及び下辺に山折り可能に連設され、天底面部４の所定の位置に椅子の内部に向かって折り曲げ可能な組み線４ａが設けられ、天底面部４の先端４ｂには左右の側面部３に設けられた側面スリット３ｂと係合される天底面スリット４ｃが設けられている箱型椅子１である。【選択図】図１
2014124204.tif 000002
【特許請求の範囲】
【請求項１】
１枚のシート状部材からなる組み立て式の箱型椅子であって、
２面の正面部と、２面の側面部と、４面の天底面部からなり、
２面の側面部は２面の正面部の左辺及び右辺の間にそれぞれ介設されるとともに、側面部と正面部の間は山折り可能に連設されることにより、側面部と正面部で筒状になるように構成され、
側面部の中央部付近には谷折り可能な畳み線が設けられるとともに、側面部の上縁及び下縁の中央部付近には天底面部の先端を固定するための側面スリットが設けられ、
天底面部は２面の正面部の上辺及び下辺にそれぞれ山折り可能に連設され、天底面部の所定の位置に椅子の内部に向かって折り曲げ可能な組み線が設けられ、
天底面部の先端には左右の側面部に設けられた側面スリットと交差噛み合わによりそれぞれ係合される天底面スリットが設けられていることを特徴とする箱型椅子。
【請求項２】
一の天底面部に設けられた天底面スリットの間の長さは組み立てられた箱型椅子における２面の正面部の間の距離の０．６倍以上であることを特徴とする請求項１に記載の箱型椅子。
【請求項３】
側面部の幅は正面部の幅以下であることを特徴とする請求項１又は請求項２に記載の箱型椅子。
【請求項４】
天底面部の側端から天底面スリットまでの距離が２ｃｍ以上であることを特徴とする請求項１乃至請求項３のいずれかに記載の箱型椅子。
【請求項５】
天底面部と正面部の間は谷折り可能であるとともに、一の正面部の上辺及び下辺に連設される天底面部の長さの和は正面部の高さ以下であることを特徴とする請求項１乃至請求項４のいずれかに記載の箱型椅子。
【請求項６】
正面部と天底面部の先端が面接合ファスナーにより接離可能であることを特徴とする請求項５に記載の箱型椅子。
【請求項７】
天底面部側の面接合ファスナーが天底面部に設けられた凹窩部に設けられていることを特徴とする請求項６に記載の箱型椅子。
【発明の詳細な説明】
【技術分野】
【０００１】
本発明は、１枚のシート状部材からなる組み立て式の箱型椅子に係り、詳しくは、軽量で組み立て易く、組み立てたときの強度が高く、且つコンパクトに折り畳むことができ、さらに、必要に応じて、内部に小物等を収納することができる箱型椅子に関する。
【背景技術】
【０００２】
プレイヤーが頻繁に移動するスポーツ（例えばゴルフ）の観戦や、山歩きなど椅子が無い場所での散策の際には携帯用の椅子が重宝され、従来より種々の携帯椅子が市販されている。代表的な携帯椅子としては、特許文献１に記載されているような、金属パイプ製の矩形枠をＸ字状に組み合わせ、一の矩形枠の一辺と他の矩形枠の一辺の間にシート状部材を掛け渡して座部としたものがある。
また、段ボール等の軽量な部材で携帯用の椅子を作る試みも一部にある（例えば特許文献２参照）。
【先行技術文献】
【特許文献】
【０００３】
【特許文献１】登録実用新案第３０５８６９０号公報
【特許文献２】特開平１０−２１１０４７号公報
【発明の概要】
【発明が解決しようとする課題】
【０００４】
しかしながら、特許文献１のような携帯椅子は金属製の部材を使用しているため重く、持ち運びの際に多大な体力が必要になるという欠点がある。
また、特許文献２のような携帯椅子は強度不足を補うために構造が複雑になったり、組み立てや折り畳みが煩雑で不便であったりするため、あまり使用されていない。
さらに、この種の携帯椅子は最初の箇所で椅子として使用し終えてから、次の場所に移動する際に一度折り畳んでカバン等に収納してから、次の場所でまたカバン等から取り出して椅子を組み立てるように構成されているため、カバン等からの出し入れも煩雑である。かといって、携帯椅子をカバン等に収納せずに持ち運ぶと荷物が増えて面倒であり、結局、頻繁に移動し短時間だけ座るような場面での使用には適さない。
【０００５】
本発明はかかる実情に鑑み、軽量で組み立て易く、強度が十分で、コンパクトに折り畳むことができ、必要に応じて、内部に小物等を収納することができ、更に、カバン等に収納しない状態で持ち運ぶことが出来る携帯用の箱型椅子を提供することを目的とする。
【課題を解決するための手段】
【０００６】
上記目的を達成するために、本発明の特徴は、１枚のシート状部材からなる組み立て式の箱型椅子であって、２面の正面部と、２面の側面部と、４面の天底面部からなり、２面の側面部は２面の正面部の左辺及び右辺の間にそれぞれ介設されるとともに、側面部と正面部の間は山折り可能に連設されることにより、側面部と正面部で筒状になるように構成され、側面部の中央部付近には谷折り可能な畳み線が設けられるとともに、側面部の上縁及び下縁の中央部付近には天底面部の先端を固定するための側面スリットが設けられ、天底面部は２面の正面部の上辺及び下辺にそれぞれ山折り可能に連設され、天底面部の所定の位置に椅子の内部に向かって折り曲げ可能な組み線が設けられ、天底面部の先端には左右の側面部に設けられた側面スリットと交差噛み合わによりそれぞれ係合される天底面スリットが設けられている箱型椅子である。
【０００７】
本発明の他の特徴は、一の天底面部に設けられた天底面スリットの間の長さは組み立てられた箱型椅子における２面の正面部の間の距離の０．６倍以上である上記の箱型椅子である。
【０００８】
本発明の更に他の特徴は、側面部の幅は正面部の幅以下である上記の箱型椅子である。
【０００９】
本発明の更に他の特徴は、天底面部の側端から天底面スリットまでの距離が２ｃｍ以上である上記の箱型椅子である。
【００１０】
本発明の更に他の特徴は、天底面部と正面部の間は谷折り可能であるとともに、一の正面部の上辺及び下辺に連設される天底面部の長さの和は正面部の高さ以下である上記の箱型椅子である。
【００１１】
本発明の更に他の特徴は、正面部と天底面部の先端が面接合ファスナーにより接離可能である上記の箱型椅子である。
【００１２】
本発明の更に他の特徴は、天底面部側の面接合ファスナーが天底面部に設けられた凹窩部の底部に設けられると共に、正面部側の面接合ファスナーが前記凹窩部と係合する凸部の上面に設けられる上記の箱型椅子である。
【発明の効果】
【００１３】
本発明による箱型椅子は、１枚のシート状からなる組み立て式であるので、不使用時にはコンパクトに折り畳むことができ、且つ軽量である。
また、２面の正面部と、２面の側面部と、４面の天底面部からなる箱型であるので、使用時には箱型椅子の内部に収納スペースが形成され、それまで折り畳み状態の箱型椅子を収納していたカバン等や、当面必要な小物等を収納することができるので、持ち運び時にも荷物を一つにまとめることができる。
さらに、本発明による箱型椅子は天底面からの圧力に対して強く、椅子として十分な強度を有する。
【００１４】
一の天底面部に設けられた天底面スリットの間の長さを組み立てられた箱型椅子における２面の正面部の間の距離の０．６倍以上とすれば、構造が比較的弱い天底面の側面側を避け易くなり、安定的に腰掛けることができる。
【００１５】
側面部の幅を正面部の幅以下とすれば、正面部の両側に配置される側面部を畳み線で谷折りにした際、折り畳まれた両側面部が衝突しないので、コンパクトに折り畳むことができる。
【００１６】
天底面部と正面部の間を谷折り可能にするとともに、一の正面部の上辺及び下辺に連設される天底面部の長さの和を正面部の高さ以下とすれば、収納時に天底面部を谷折りにした際、折り畳まれた上辺側と下辺側の天底面部が衝突しないので、コンパクトに折り畳むことができる。
この際、正面部と天底面部の先端を面接合ファスナーにより接離可能にすれば、弾性反発力により天底面部が勝手に起き上がり嵩張るのを防止することができ、よりコンパクトに収納することができる。
さらに、天底面部側の面接合ファスナーを天底面部に設けられた凹窩部に設けることにより、面接合ファスナーを設けることによる天底面部の厚みの増加を防ぎ、この面接合ファスナーの厚みが組み立ての邪魔になるのを防ぐことができる。
【図面の簡単な説明】
【００１７】
【図１】図１は本発明の箱型椅子を示す概略斜視図である。
【図２】図２（ａ）は図１のＡ−Ａ断面図であり、（ｂ）は（ａ）を折り畳んだ様子を示す概略説明図である。
【図３】図３（ａ）は図１のＢ−Ｂ断面図であり、（ｂ）は（ａ）を折り畳んだ様子を示す概略説明図である。
【図４】図４は図１の箱型椅子の展開図である。
【図５】図５は面接合ファスナーが設けられた箱型椅子の正面部と天底面部を示す概略説明図である。
【図６】図６（ａ）は図５のＣ−Ｃ断面図であり、（ｂ）は天底面部を谷折りに折り畳んだ様子を説明する概略説明図である。
【発明を実施するための形態】
【００１８】
本発明の箱型椅子１は、図４に示すように、１枚のシート状部材からなり、２面の正面部２と、２面の側面部３と、４面の天底面部４からなり、２面の側面部３は２面の正面部２の左辺及び右辺の間にそれぞれ介設されるとともに、側面部３と正面部２の間は山折り可能に連設されることにより、側面部３と正面部２で筒状になるように構成され、側面部３の中央部付近には谷折り可能な畳み線３ａが設けられるとともに、側面部３の上縁及び下縁の中央部付近には天底面部４の先端４ｂを固定するための側面スリット３ｂが設けられ、天底面部４は２面の正面部２の上辺及び下辺にそれぞれ山折り可能に連設され、天底面部４の所定の位置に椅子の内部に向かって折り曲げ可能な組み線４ａが設けられ、天底面部４の先端４ｂには左右の側面部に設けられた側面スリット３ｂと交差噛み合わによりそれぞれ係合される天底面スリット４ｃが設けられていることを特徴とする。
なお、図４中、右端に記載されている３ｃは接合部であり、左右の端にそれぞれ設けられた側面部片３ｄ同士をビス、接着、溶着等により接合することにより一面の側面部３が形成されるように構成されている。
【００１９】
本発明の箱型椅子１は、図１及び図４に示すように、正面部２と、側面部３と、天底面部４とからなる。本願発明において、正面部２とは箱状に組み立てたときに正面又は背面となる部分であり、使用者は、通常、この正面部２の側から箱型椅子１に座るように構成される。
側面部３とは箱状に組み立てたときに側面となる、くの字状に折れ曲がった部分（図２（ａ）参照）であり、収納時には二つ折り状に折り畳まれる（図２（ｂ）参照）。
天底面部４とは箱状に組み立てたときに座面及び底面になる部分である。収納時には、図１（ａ）に一点鎖線で示すように、正面部２と面一になるように延ばされるか、好ましくは正面部２と重なるように折り返される（図３（ｂ）参照）。
【００２０】
本発明において、側面部３は２面の正面部２の左辺及び右辺の間に介設されるように構成される。なお、ここで言う介設とは、箱型に組み立てた状態において対向する正面部２の左右の辺の間に側面部３が配置されることを意味するのであって、例えばシート状に広げた際には縁部に配置されていてもよいし、図４に示すように、２枚の側面部片３ｄに分割してそれぞれ別の正面部２の縁から延設し、組み立て時にこれらを貼り合わせるように構成してもよい。
【００２１】
側面部３と正面部２の間は山折り可能に連設される。なお、本発明において山折りとは、組み立てた状態において、折り目の鋭角側が組み立てられた箱型椅子１の外側を向く折り方をいう。このようにすれば、図２（ａ）に示すように、側面部３と正面部２からなる角筒状の部分が形成される。
【００２２】
側面部３の中央部には谷折り可能な畳み線３ａが設けられており、この畳み線３ａにより上述し且つ図２（ｂ）に示したように、側面部３を二つ折りし、くの字状に折り曲げることが可能になる。なお、本発明において谷折りとは、組み立てた状態において、折り目の鋭角側が組み立てられた箱型椅子１の内側を向く折り方をいう。くの字状に折り曲げられた側面側３は縦方向の力骨として機能し、椅子としての強度を付与する。
畳み線３ａの位置は側面部３を丁度半分に折り畳める２等分線の位置と同じにすれば、最もコンパクトに側面部３を折り畳めるため好ましいが、これに限定されず、２等分線から少々外れた位置に畳み線３ａを設けてもよい。また、図示しないが、谷折り可能な畳み線と山折り可能な畳み線を交互に設けて多重に折り畳むように構成することも可能である。
【００２３】
側面部３の上縁及び下縁の中央部付近には天底面部４の先端４ｂを固定するための側面スリット３ｂが設けられる。なお、後で詳述するが、天底面部４の先端４ｂは椅子の内部に折り曲げられて、座面を支える力骨として機能する。側面スリット３ｂはこの力骨として機能する天底面部４の先端４ｂを支持する部分なので、座面の機械的強度を均一にするため、側面スリット３ｂを側面部３の上辺及び下辺の中点に設けるのが好ましいが、これに限定されず、中点から少し外れた位置に側面スリット３ｂを設けることもできる。
なお、畳み線３ａ及び側面スリット３ｂの両方が側面部３の中央に配置するのが好ましいため、通常の場合は図４に示す通り、畳み線３ａの上端及び下端に側面スリット３ｂが配置されることになる。
【００２４】
正面部２及び側面部３の幅（即ち、組み立てた状態における水平方向の長さ。以下同じ）は特に限定されないが、図４に示すように、側面部３の幅Ｌ３が正面部２の幅Ｌ４以下であれば、図２（ｂ）のように折り畳んだ際に折り畳んだ側面部３同士が干渉しないため、よりコンパクトに折り畳むことができる。正面部２の高さについては座り易く且つ畳み易い任意の高さにすればよく、大人用では、通常、大体３０〜４０ｃｍ程度、子供用で２０〜３０ｃｍ程度である。
【００２５】
図４に示すように、本発明の天底面部４は正面部２の上辺及び下辺から延設される。また、正面部２と天底面部４の境界は少なくとも山折り可能に形成されている。
天底面部４は２面で一組であり、対向する２面の正面部２のそれぞれの上辺から延設された２面の天底面部４がそれぞれ山折りに折り曲げられ、これら２面の天底面部が合わさって一つの座部が形成される。同様に、対向する２面の正面部２のそれぞれの下辺から延設された２面の天底面部４がそれぞれ山折りに折り曲げられ、これらが合わさって一つの底部となる。
なお、本発明において、座部及び底部の構造上の違いは特に定められず、即ち図１〜図４に示した例のように、４面の天底面部４を全く同じ形状として、いずれの側も座部に出来るようにしてもよいし、例えば対向する一組の天底面部４だけに座布団のような構造を付加することにより、特定の一方のみが座部になるように構成してもよい。
【００２６】
図４に示す通り、天底面部４の所定の位置には組み線４ａが設けられているとともに、当該天底面部４の先端４ｂには天底面スリット４ｃが設けられている。組み線４ａとは、天底面部４の先端４ｂを箱型椅子１の内部に向かって折り曲げ可能な部分であり、天底面スリット４ｃとは前述の側面スリット３ｂと係合させるためのスリットである。本発明においては、天底面部４を組み線４ａで折り曲げることにより天底面スリット４ｃと側面スリット３ｂを対向させ、これを交差噛み合わせにより係合できるように構成される。
なお、交差噛み合わせとは、箱型椅子１が組み立てる際に、天底面部４の先端４ｂと側面部３が交差した状態で、交差した部位にそれぞれ設けられた天底面スリット４ｃと側面スリット３ｂを対合させて、相互に嵌入することをいう。
このようにすれば、箱型椅子１の組み線４ａにおいて内側に曲げられた２面の先端４ｂは、横方向の力骨の機能を果たすため、本発明の箱型椅子は人が座っても壊れない程度の強度を有するようになる。なお、十分な強度を付与するためには組み線４ａより先端４ｂの部分の長さは、好ましくは３ｃｍ以上、更に好ましくは５ｃｍ以上とする。但し、図１〜図３に示す通り、組み線４ａより先端４ｂの部分は２枚重なっているので、その内の一方を長くすれば足り、他方については短くしてもよい。
【００２７】
本発明において、組み線４ａ及び天底面スリット４ｃの位置は、天底面スリット４ｃと側面スリット３ｂを係合させることができるように、組み立て時の２枚の正面部２の間の距離や側面部３の長さ等に応じて決定される。具体的に言えば、例えば側面部３の長さが３０ｃｍで、組み立て時における２枚の正面部２の間の距離が２４ｃｍで、畳み線３ａの位置が側面部３の中心で、側面スリット３ｂが畳み線３ａ上にある場合、組み線４ａの位置は天底面部４と正面部２の境界から１２ｃｍ（＝２４ｃｍ／２）の位置であり、天底面スリット４ｃの位置は天底面部４の端部から９ｃｍ（＝√（（３０／２）2 −（２４／２）2 ））と定められる。
【００２８】
実際の各部寸法については、使用の便等を考慮して適宜定めることができるが、天底面部４の側端から天底面スリット４ｃまでの距離Ｌ５（図４参照）が２ｃｍ未満であれば、天底面部４の側端から天底面スリット４ｃの間の部分が折れたり欠けたり曲がったりしやすくなるため、２ｃｍ以上とするほうが好ましい。
また、本発明の箱型椅子１では、座面のうち２枚の天底面部４が対合する部分であってくの字型に折れ曲がった側面部３よりも外になる部分が構造的に若干弱く、この部分に強い力がかかると、この部分が沈み込んで座面が傾く恐れがある。これを防ぐには、一の天底面部４に設けられた天底面スリット４ｃの間の長さＬ１（図４参照）を出来るだけ長く、好ましくは組み立てられた箱型椅子における２面の正面部の間の距離Ｌ２（図２参照）の０．６倍以上、更に好ましくは０．８倍以上、特に好ましくは１．０倍以上とするのが好ましい。このようにすれば、構造的に強い２枚の側面部３の間の部分の割合が増え、安全に本発明の箱型椅子１を使用できるようになる。
【００２９】
天底面スリット４ｃ及び側面スリット３ｂの大きさや形状に関しては特に限定されず、互いに嵌め込み合うことができる程度の大きさの細長い切り口であればよいが、入口付近にアールをつけたりテーパ状に拡開させるなど、互いを嵌入させやすい形状にするのが好ましい。
【００３０】
上述の通り、本発明における天底面部４と正面部２の間は山折り可能に構成されているが、これに加え、当該部分を谷折りもできる様に構成するとともに、図３（ｂ）に示すように、一の正面部２の上辺及び下辺に連設される天底面部４の長さＬ６の和を正面部２の高さＬ７以下とすれば、天底面部４を正面部に重ねるように折り返すことにより、コンパクトに折り畳むことができる。なお、一の正面部２の上辺及び下辺に連設される天底面部４の長さＬ６の和が正面部２の高さＬ７を超えた場合は、上下の天底面部４を両方折り返した場合に２枚の天底面部４が重なって分厚くなり、その分コンパクトに折り畳むことができなくなる。
【００３１】
上記のように構成した場合、材質によっては材料自身の弾性反発力により折り返した天底面部４が自動的に起き上がり嵩張る場合がある。これを防ぐためには、バンドや紐などの長尺部材からなる結束部材を用いて折り畳まれた箱型椅子１を結束する方法や、図５に示すように、正面部２と天底面部４の先端４ｂのそれぞれに面接合ファスナー５ａ、５ｂを設け、これを接合させる方法が挙げられる。後者の場合、結束部材等といった箱型椅子とは別体になった部材を用いることなく、ワンタッチで天底面部４を正面部２に接合して天底面部４の自動的な起き上がりを防ぐことができ、またワンタッチで天底面部４を正面部２から引き離して組立て箱型椅子１とすることができる。
【００３２】
なお、図３に示したとおり、組み立てた状態において、対向する２面の天底面部４の先端４ｂは２枚重なった状態になるが、天底面部４の先端４ｂに面接合ファスナー５を設けた場合、この面接合ファスナー５の厚みが天底面部４の先端４ｂを重ねる際に邪魔になるので、組み立ての作業性が悪化する場合がある。
このような場合には、天底面部４に凹窩部４ｄを設け、この凹窩部４ｄに面接合ファスナー５ａを取り付けて略面一とし、正面部２側の面接合ファスナー５ｂと係合するようにすれば、面接合ファスナー５ａの厚みが組み立ての作業性を悪化させることがない。
【００３３】
上記したような箱型椅子１は単なる携帯用の椅子として使用できるだけでなく、簡易コンテナとしても用いることができる。そのため、例えば、カバン等から箱型椅子１を取り出して組み立てた後は、箱型椅子１の中にカバン等や、当面必要な小物を収納することができるので、複数の荷物を同時に持ち歩いたり、移動する毎に箱型椅子１を折り畳み、カバン等に収納し、後で取り出して、組み立て直すような煩雑な手間が不要になる。
箱型椅子１のなかに小物等を収納するには、天底面部４のうちの１枚を側面スリット３ｂから外して立ち上げればよい。この場合、天底面部４の先端４ｂの長さが長すぎれば天底面部４を立ち上げ難くなるので、この部分を短くすることもできる。但し、全ての天底面部４において先端４ｂを短くすれば箱型椅子の強度が落ちるので、開閉する１枚の天底面部４のみ、先端４ｂを短くすればよい。また、強度を低下させない範囲で、正面部２に小物を出し入れするための扉を設けてもよい。
【００３４】
材質は自重で撓まない程度の強度を有するシート状部材であれば特に限定されないが、軽量である点で段ボールやフィルムをラミネートした段ボール、プラスチック段ボールが好ましく、湿気等にも強く雨に濡れても使用できる点でフィルムをラミネートした段ボールやプラスチック段ボールが特に好ましい。また、所望により、着色したり、模様や図柄等で装飾することも可能である。
【００３５】
本発明の箱型椅子１は、底面部４の２枚の先端４ｂによる横方向の力骨として機能と、くの字状に折り曲がった側面部３による縦方向の力骨として機能の協働により、十分な強度を発揮する。
本発明の箱型椅子１は、正面部２を前面にして座ると、左右の臀部による荷重がくの字上に折れ曲がった側面部３から形成される左右の力骨により支持分散されるので、十分な強度を発揮する。勿論、側面部３を前面にして座ることも可能である。
【産業上の利用可能性】
【００３６】
叙上のとおり、本発明の箱型椅子は、軽量で強度が高く、且つ組み立てが容易で、コンパクトに折り畳むことができ、必要に応じ、内部にカバンや小物等を収納して持ち運ぶことが可能であるため、携帯用の箱型椅子として頗る有用である。
【符号の説明】
【００３７】
１  箱型椅子
２  正面部
３  側面部
３ａ  畳み線
３ｂ  側面スリット
３ｃ  接合部
３ｄ  側面部片
４  天底面部
４ａ  組み線
４ｂ  先端
４ｃ  天底面スリット
４ｄ  凹窩部
５ａ、５ｂ  面接合ファスナー
Ｌ１  天底面スリットの間の長さ
Ｌ２  ２面の正面部の間の距離
Ｌ３  側面部の幅
Ｌ４  正面部の幅
Ｌ５  天底面部の側端から天底面スリットまでの距離
Ｌ６  天底面部の長さ
Ｌ７  正面部の高さ
【図１】
2014124204.tif 000003
【図２】
2014124204.tif 000004
【図３】
2014124204.tif 000005
【図４】
2014124204.tif 000006
【図５】
2014124204.tif 000007
【図６】
2014124204.tif 000008